(57)【特許請求の範囲】
【請求項１】
アクア電解フィルタと、
アクア電解フィルタを通過するように対象空気を送るファンと、
霧を発生させてアクア電解フィルタの上流側の流路に供給して対象空気と混合させる霧発生器とを備えており、
アクア電解フィルタは、一対の電極プレートと、一対の電極プレートの間に保持されたフィルタ繊維とより成るものであって、一対の電極プレートはイオン化傾向が互いに異なる材料で形成されていてこのイオン化傾向の相違により両者の間に起電力が発生するものであることを特徴とする空気清浄機。
【請求項２】
アクア電解フィルタと、
アクア電解フィルタを通過するように対象空気を送るファンと、
霧を発生させてアクア電解フィルタの上流側の流路に供給して対象空気と混合させる霧発生器とを備えており、
アクア電解フィルタは、同じ材料で形成された一対の電極プレートと、一対の電極プレートの間に保持されたフィルタ繊維とより成るものであって、一対の電極プレートの間に電圧を印加する電源が設けられていることを特徴とする空気清浄機。
【請求項３】
前記アクア電解フィルタから流出する気体に蒸気を混合して加熱する蒸気加熱器が設けられていることを特徴とする請求項１又は２記載の空気清浄機。
【請求項４】
前記蒸気加熱器は、１２０℃以上の蒸気を混合するものであることを特徴とする請求項３記載の空気清浄機。
【請求項５】
前記霧発生器に供給する水を軟水とする軟水器を備えていることを特徴とする請求項１乃至４いずれかに記載の空気清浄機。
【請求項６】
前記蒸気加熱器に供給する水を軟水とする軟水器を備えていることを特徴とする請求項３又は４記載の空気清浄機。
【請求項７】
前記対を成す電極プレートのうちの一方はアルミニウム製であり、他方はアルミニウム以外の材料で形成されていることを特徴とする請求項１に記載の空気清浄機。
【請求項８】
前記対を成す電極プレートのうちの一方は銅製であり、他方は銅以外で形成されていることを特徴とする請求項１記載の空気清浄機。
【請求項９】
前記対を成す電極プレートの双方は、アルミニウム製であることを特徴とする請求項２記載の空気清浄機。
【請求項１０】
前記対を成す電極プレートの双方は、銅製であることを特徴とする請求項２記載の空気清浄機。
【発明の詳細な説明】
【技術分野】
【０００１】
本願の発明は、ＰＭ２．５に代表される微粒子を捕集、除去する機能を備えた空気清浄機に関するものである。
【背景技術】
【０００２】
ＰＭ２．５の問題に代表されるように、現在、空気清浄機の分野では、空気中に浮遊する煤煙、粉塵、細菌、花粉などの微粒子、超微粒子を除去することが重要なテーマとなっている。これら微粒子の除去には、ＨＥＰＡフィルタ(High Efficiency Particulate Air Filter)が用いられることが多いが、このようなフィルタは、細い繊維状の物を網目状にしたものが殆どである。使用する場合、対象空気をファンで送り込みフィルタの表面に当てて微粒子を捕集、除去している。
【先行技術文献】
【特許文献】
【０００３】
【特許文献１】特開２０００−２５４４５２号公報
【発明の概要】
【発明が解決しようとする課題】
【０００４】
上記のような空気清浄機では、フィルタに微粒子が蓄積すると取り外して交換や洗浄をしなくてはならないが、フィルタの交換等をする際、フィルタに付着した微粒子が再度周囲に舞い散ってしまう。これらを人が吸い込むと、せっかく空間をきれいな空気にしても人に多大な害を及ぼし、本当の意味において微粒子を処理しているとはいい難い。
【０００５】
また、フィルタの交換や洗浄のようなメンテナンスは面倒であるが、メンテナンスを怠ると、高級な機器であっても用を成さなくなってしまう。「フィルタは１０年交換不要」などと、あたかもメンテナンス不要のごとく称しているメーカーもあるが、これは洗浄等のメンテナンスをしながら使用できるということであって、メンテナンスをしなくてもよいということではない。紛らわしい表現であり、購入者が誤解してしまうこともあり得る。
本願の発明は、このような点を考慮して為されたものであり、ＰＭ２．５に代表される微粒子を対象空気から除去して浄化することが可能であり、メンテナンスの頻度が極めて少ない空気清浄機を提供することを目的としている。
【課題を解決するための手段】
【０００６】
上記課題を解決するため、本願の請求項１記載の発明は、アクア電解フィルタと、
アクア電解フィルタを通過するように対象空気を送るファンと、
霧を発生させてアクア電解フィルタの上流側の流路に供給して対象空気と混合させる霧発生器とを備えており、
アクア電解フィルタは、一対の電極プレートと、一対の電極プレートの間に保持されたフィルタ繊維とより成るものであって、一対の電極プレートはイオン化傾向が互いに異なる材料で形成されていてこのイオン化傾向の相違により両者の間に起電力が発生するものであるという構成を有する。
また、上記課題を解決するため、請求項２記載の発明は、アクア電解フィルタと、
アクア電解フィルタを通過するように対象空気を送るファンと、
霧を発生させてアクア電解フィルタの上流側の流路に供給して対象空気と混合させる霧発生器とを備えており、
アクア電解フィルタは、同じ材料で形成された一対の電極プレートと、一対の電極プレートの間に保持されたフィルタ繊維とより成るものであって、一対の電極プレートの間に電圧を印加する電源が設けられているという構成を有する。
また、上記課題を解決するため、請求項３記載の発明は、前記請求項１又は２の構成において、前記アクア電解フィルタから流出する対象空気に蒸気を混合して対象空気を加熱する蒸気加熱器が設けられているという構成を有する。
また、上記課題を解決するため、請求項４記載の発明は、前記請求項１、２又は３の構成において、前記蒸気加熱器は、１２０℃以上の蒸気を混合するものであるという構成を有する。
また、上記課題を解決するため、請求項５記載の発明は、前記請求項１乃至４いずれかの構成において、前記霧発生器に供給する水を軟水とする軟水器を備えているという構成を有する。
また、上記課題を解決するため、請求項６記載の発明は、前記請求項３又は４の構成において、前記蒸気加熱器に供給する水を軟水とする軟水器を備えているという構成を有する。
また、上記課題を解決するため、請求項７記載の発明は、前記請求項１の構成において、前記対を成す電極プレートのうちの一方はアルミニウム製であり、他方はアルミニウム以外の材料で形成されているという構成を有する。
また、上記課題を解決するため、請求項８記載の発明は、前記請求項１の構成において、前記対を成す電極プレートのうちの一方は銅製であり、他方は銅以外で形成されているという構成を有する。
また、上記課題を解決するため、請求項９記載の発明は、前記請求項２の構成において、前記対を成す電極プレートの双方は、アルミニウム製であるという構成を有する。
また、上記課題を解決するため、請求項１０記載の発明は、前記請求項２の構成において、前記対を成す電極プレートの双方は、銅製であるという構成を有する。
【発明の効果】
【０００７】
以下に説明する通り、本願の請求項１又は２記載の発明によれば、霧発生器で発生させた霧を対象空気に混合してアクア電解フィルタに流入させて対象空気の浄化を行うので、フィルタの目詰まりによって早期に交換やクリーニングのようなメンテナンスの必要性が生じることはなく、クリーニングの頻度は格段に低くなる。
また、請求項３記載の発明によれば、上記効果に加え、浄化された対象空気は蒸気加熱器で加熱されるので、殺菌作用が得られるのに加え、加湿作用も得られる。
また、請求項４記載の発明によれば、上記効果に加え、蒸気が１２０℃以上であるので、殺菌効果が高く、部屋の隅々まで行き渡ってカビ発生を抑制する効果が得られる。
また、請求項５又は６記載の発明によれば、供給される水が軟水となるので、水道水中のカルキ（カルシウム）やマグネシウムが析出して水の供給路を狭めてしまったり、目詰まりさせてしまったりすることが無くなる。
また、請求項７又は９記載の発明によれば、上記効果に加え、一方又は双方の電極プレートがアルミニウム製であるので、水酸化アルミニウムによる高粘性化の作用により微粒子がよりフィルタ繊維等に付着し易くなる。このため、微粒子の捕集がより効率良く行え、微粒子の再放出の問題がさらに小さくなっている。
また、請求項８又は１０記載の発明によれば、上記効果に加え、一方又は双方の電極プレートが銅製であるので、銅イオンによる殺菌効果が得られる。
【図面の簡単な説明】
【０００８】
【図１】第一の実施形態の空気清浄機の正面概略図である。
【図２】図２は図１の空気清浄機の平面概略図である。
【図３】第一の実施形態の空気清浄機に使用されたアクア電解フィルタ２の正面断面概略図である。
【図４】第二の実施形態の主要部の正面断面概略図である。
【発明を実施するための形態】
【０００９】
次に、この出願の発明を実施するための形態（以下、実施形態）について説明する。
図１は、第一の実施形態の空気清浄機の正面概略図であり、図２は図１の空気清浄機の平面概略図である。
図１及び図２に示す空気清浄機は、全体として縦長の筐体ボックス１内に各部材が収容されている。筐体ボックス１には、浄化する対象の空気（対象空気）を取り入れる取り入れ口１１が形成されている。この実施形態では、取り入れ口１１は、右側の側板の上部に形成されている。
【００１０】
一方、筐体ボックス１の前面板の上部には、浄化した対象空気の排出口１２が形成されている。対象空気は、取り入れ口１１から筐体ボックス１内に入り、筐体ボックス１内に設定されて流路に沿って流れて浄化された後、排出口１２から排出されるようになっている。
【００１１】
筐体ボックス１内には、アクア電解フィルタ２と、アクア電解フィルタ２を通して対象空気を送るファン３と、霧を発生させてアクア電解フィルタ２の上流側の流路に供給して対象空気と混合させる霧発生器４とが設けられている。
アクア電解フィルタ２は、液体中の電気分解の作用を併用して微粒子を吸着したり殺菌したりするフィルタである。アクア電解フィルタ２について、図３を使用して説明する。図３は、第一の実施形態の空気清浄機に使用されたアクア電解フィルタ２の正面断面概略図である。
【００１２】
図３に示すように、アクア電解フィルタ２は、一対の電極プレート２１，２２と、一対の電極プレート２１，２２の間に保持されたフィルタ繊維２３と、各電極プレート２１，２２を保持した円筒形の保持体２４等から成るものである。この実施形態では、電極プレート２１，２２は、複数対設けられており、各対において間にフィルタ繊維２３が挟み込まれたものとなっている。
【００１３】
各電極プレート２１，２２は、一番上のものを除き、ディスク状、即ち円盤であって中央に円形の開口を有する形状である。各電極プレート２１，２２は、間にフィルタ繊維２３を挟み込みながら同軸上に重ねられている。この実施形態では、各対において一方の電極プレート２１はアルミニウム製であり、他方の電極プレート２２は銅製となっている。アルミニウム製の電極プレート２１と銅製の電極プレート２２が交互に配置され、各対を構成している。
【００１４】
フィルタ繊維２３は、絶縁性のものであり、不織布、樹脂繊維又はガラス繊維等で形成されたものである。繊維の太さは０．１〜０．３ｍｍ程度であることが好ましく、絶縁性であって良好な耐久性、耐食性を有することが好ましい。例えば、塩化ビニール製のものとして旭化成ホームプロダクツ社からサランロックの商品名（同社の登録商標）で販売されており、これをフィルタ繊維２３として使用することができる。このようなフィルタ繊維２３は、繊維が複雑にカールしたり絡んだりした構造となっている。尚、フィルタ繊維２３の全体の形状は、厚さが厚いことを除き各電極プレート２１，２２と同様である。フィルタ繊維２３は、各電極プレート２１，２２の間に設けられている。
【００１５】
保持体２４は、細かい孔が無数に形成されたもの又はメッシュ状のものである、保持体２４も絶縁性であり、樹脂性又はセラミックス製である。各電極プレート２１，２２は、開口の縁が保持体２４に固定されることで保持されている。一番上の電極プレート２１は、下面において保持体２４に固定されている。各電極プレート２１，２２は、保持体２４に接着材で固定されているが、嵌め込みによって固定する場合もある。各フィルタ繊維２３は、各電極プレート２１，２２の間に挟み込まれただけの場合もあるし、接着材により各電極プレート２１，２２に固定されている場合もある。
また、アクア電解フィルタ２は、図３に示す各電極プレート２１，２２や各フィルタ繊維２３を内部に収容したケース２５を有している。ケース２５は円筒状であり、一端に流入口２５１を有し、他端に流出口２５２を有している。
【００１６】
図３に示すように、アクア電解フィルタ２は、各フィルタ繊維２３において、外側から中心軸方向に（半径方向に）対象空気が流れる構造となっている。即ち、流入口２５１に対向するようにして配置された電極プレート（この例ではアルミニウム製の電極プレート）２１、即ち一番上の電極プレート２１は、開口の無い円板状であり、分散板に兼用されている。この電極プレート２１に衝突した対象空気は、図３中に矢印で示すように外側に分散して流れ、ケース２５の内側面から各フィルタ繊維２３に流入するようになっている。そして、各フィルタ繊維２３を通して流れた対象空気は、細かな孔を通して保持体２４に進入する。保持体２４の流入口２５１側の端部（上端）は閉鎖されており、反対側（流出口２５２側）の端部は開口となっているので、流入した対象空気は開口に向けて進み、開口から流出口２５２を通って流出するようになっている。
【００１７】
尚、アクア電解フィルタ２は、ケース２５ごと筐体ボックス１から取り出すことができるようになっており、また各電極プレート２１，２２及び各フィルタ繊維２３を一体にケース２５から取り出すことができるようになっている。メンテナンスの際には、ケース２５ごと筐体ボックス１から取り出した後、ケース２５から各電極プレート２１，２２及びフィルタ繊維２３を取り出し、各電極プレート２１，２２及び各フィルタ繊維２３を水又は洗浄液に漬けて洗浄する。フィルタ繊維２３が不織布のような柔らかいものである場合、各電極プレート２１，２２及び保持体２４を分解できるようにしておき、交換して装着する構造とされる。
【００１８】
図１に示すように、アクア電解フィルタ２は、筐体ボックス１内において、軸方向を上下方向にした姿勢で配置されており、ケース２５の流入口２５１が上側に位置し、流出口２５２が下側に位置している。そして、筐体ボックス１内には、取り入れ口１１とアクア電解フィルタ２の流入口２５１とをつないだ取り入れ管１３が設けられている。取り入れ管１３は、取り入れ口１１から横方向に少し延びた後、下方に折れ曲がって延びている。
【００１９】
図１に示すように、アクア電解フィルタ２の下方に、ファン３が配置されている。ファン３は、アクア電解フィルタ２のケース２５の流出口２５２に対して接続されており、アクア電解フィルタ２を通して吸気しながら送風するファン３となっている。送風の出口は横方向となっており、ファン３の側方（図１では左側）には排出管３１が接続されている。
【００２０】
図１に示すように、排出管３１は、折れ曲がって上方に延び、筐体ボックス１の排出口１２に接続されている。一方、排出管３１の折れ曲がった箇所の下方には、蒸気加熱器５が配置されている。蒸気加熱器５は、高温蒸気を供給することにより加熱を行うものであり、この実施形態では１２０℃以上の高温（従って高圧）の蒸気を発生させて加熱を行うものとなっている。尚、蒸気加熱器５は、この実施形態では電熱式（抵抗加熱式）のものとなっているが、ガスや灯油等を燃料としたボイラ式のものが使用されることもある。
【００２１】
蒸気加熱器５は、蒸気放出口を上方に向けた状態で配置されている。蒸気放出口は、排出管３１の折れ曲がった箇所に連通している。従って、蒸気加熱器５が放出する高温蒸気は、ファン３から排出される気体と合流・混合しながら排出管３１内を上昇するようになっている。
尚、この実施形態では、排出管３１内には、別のヒータ５１が増設されている。このヒータ５１は、蒸気加熱器５からの蒸気による加熱作用を高めたり、排気による暖房作用を付加したりするためのものである。
【００２２】
また、霧発生器４は、この実施形態では超音波式となっているが、ハイブリッド式又はスチーム式のものが使用されることもある。霧発生器４は、ファン３の斜め下方の位置に配置されており、発生させた霧を送るための霧導入管４１が接続されている。霧導入管４１は、上方に延びて横に折れ曲がった細い管であり、取り入れ管１３に接続されている。図３に示すように、取り入れ管１３は、下方に向けて折れ曲がった箇所の側面に小さな開口１３１を有しており、霧導入管４１の先端はこの開口１３１に接続されている。
【００２３】
蒸気加熱器５や霧発生器４では水を使用することになるが、実施形態の空気清浄機は、これらに使用する水を軟水とする軟水器６を備えている。具体的に説明すると、図１に示すように、筐体ボックス１内の底部には、貯水タンク６１が設けられている。軟水器６は、貯水タンク６１から霧発生器４及び蒸気加熱器５への給水路に設けられている。霧発生器４及び蒸気加熱器５は、それぞれ不図示のポンプを備えており、必要に応じて貯水タンク６１から水を吸い上げて使用するようになっている。この吸い上げの際、水は軟水器６を通過するようになっており、軟水とされた水が霧発生器４及び蒸気加熱器５に供給されるようになっている。
【００２４】
また、筐体ボックス１には、イオン発生器７が設けられている。イオン発生器７は、マイナスイオン（典型的には酸素イオン）を発生させるものであり、コロナ放電式又は電子放射式のような小型のユニット化されたものが使用されている。
尚、筐体ボックス１内には、必要な各部に電力を供給する不図示の電源ユニットが設けられている。電源ユニットは、ファン３、蒸気加熱器５、霧発生器４、各ポンプ、イオン発生器７等に必要な電力を供給するようになっている。
この他、筐体ボックス１内には各部を制御する制御ユニット（不図示）が設けられており、筐体ボックス１の外面（例えば上面）には、ユーザーが操作するための各種ボタンを有する操作パネル（不図示）が設けられている。
【００２５】
次に、このような構成に係る実施形態の空気清浄機の動作について説明する。
不図示の操作パネル上に設けられた電源ボタンをＯＮにすると、制御ユニットは、各部に動作信号を送る。これにより、ファン３、蒸気加熱器５、霧発生器４及びイオン発生器７が動作を開始する。
【００２６】
対象空気は、ファン３の動作により、取り入れ口１１から筐体ボックス１内に流入する。対象空気は、取り入れ管１３内を流れ、アクア電解フィルタ２に流入する。一方、霧発生器４が発生させている霧は、霧導入管４１により導かれて取り入れ管１３内に流入している。このため、取り入れ口１１から取り入れられた対象空気には、霧発生器４が発生させた霧が混合され、ミスト（水滴）を多く含んだ状態となる。対象空気には、前述したように微粒子が含まれており、微粒子にはウイルス等の細菌が含まれ得るが、これら微粒子は、ミスト中に吸着したり溶け込んだりして捉えられた状態となる。
【００２７】
対象空気は、このようにミストを多く含んだ状態となってアクア電解フィルタ２に流入する。対象空気は、アクア電解フィルタ２内を通して流れるが、この際、対象空気中のミストがフィルタ繊維２３の表面に付着して捉えられ、水溜まりとなる。このため、水溜まり中の微粒子はアクア電解フィルタ２の電解作用により分解、吸着又は殺菌される。
【００２８】
即ち、イオン化傾向が異なる一対の電極プレート２１，２２間に溜まった水溜まり中では電気分解が生じ、イオン化傾向の差に応じた起電力が生じる。この実施形態では、アルミと銅の組み合わせであるので、起電力は約０．５Ｖ程度である。一方、周知のように、粉塵、花粉等の多くの浮遊微粒子はプラスに帯電している。このように帯電した微粒子が対象空気内に存在していてミスト中に混入してアクア電解フィルタ２に流入すると、起電力によっていずれか一方の電極プレート２１，２２に引き寄せられて捉えられる。また、中性の微粒子がミストに混入してアクア電解フィルタ２に流入し、起電力によって電気分解する場合もある。さらに、イオン発生器７が発生させたイオン（例えばＯ２（Ｈ２Ｏ）ｎのような負イオン）により帯電した微粒子がミストに混入し、アクア電解フィルタ２においていずれかの一方の電極プレート２１，２２に引き寄せられて捉えられる場合もある。
【００２９】
また、この実施形態では一方の電極プレート２１はアルミニウム製であるので、溶け出したアルミイオンは、ミスト中の水酸基と反応して水酸化アルミニウム（ＡｌＯＨ）となる。水酸化アルミニウムは、ミスト中の微粒子と結合してフィルタ繊維２３に捉えられる易くする性質を有する。即ち、水酸化アルミニウムと結合することで、凝集が進み、粘性が高くなってフィルタ繊維２３に吸着され易くなる。
また、アルミに比べて少ないながらもミスト中には他方の電極プレート２２から銅イオンが溶け出す。周知のように銅イオンには殺菌作用があり、ミスト中に存在するウイルス等の細菌を殺菌する。
このようにしてミスト中の微粒子は各電極プレート２１，２２やフィルタ繊維２３に吸着、捕集され、また場合によっては殺菌される。このため、アクア電解フィルタ２から排出される対象空気は浄化されたものとなる。
【００３０】
排出された対象空気は、ファン３及び排出管３１を経由して排出口１２から排出されるが、この際、排出管３１では、下方から蒸気加熱器５が発生させた高温蒸気が流入してきており、またヒータ５１で加熱がされている。このため、アクア電解フィルタ２から流出した対象空気はこの高温蒸気と混合され、高湿度の空気となるとともに高温蒸気により殺菌される。このため、排出口１２から排出される対象空気は、浄化、殺菌されているとともに加湿、加熱された状態で排出される。
排出された空気は、浄化された空気であって高湿度、高圧の空気であるため、部屋の隅々にまで素早く行き渡る。この際、高湿度ではあっても高温の空気であるため、部屋の隅々において高温殺菌する作用があり、カビの発生を抑制する。
【００３１】
上記のように、実施形態の空気清浄機によれば、霧発生器４で発生させた霧を対象空気に混合してアクア電解フィルタ２に流入させる。アクア電解フィルタ２における電解作用を利用して対象空気中の微粒子の分解、捕集又は殺菌が行える。アクア電解フィルタ２は、ＨＥＰＡフィルタのようなフィルタの網の目の部分で物理的に捕集するものではないので、フィルタの目詰まりによって早期に交換やクリーニングのようなメンテナンスの必要性が生じることはない。即ち、クリーニングの頻度は従来のフィルタに比べて格段に低い。
【００３２】
また、浄化された対象空気は蒸気加熱器５で加熱されるので、殺菌作用が得られるのに加え、加湿作用も得られる。この際、蒸気加熱器５における蒸気の温度は１２０℃以上（例えば１５０℃）であるので、殺菌効果が高く、部屋の隅々まで行き渡ってカビ発生を抑制する効果が得られる。
また、メンテナンスにおいてアクア電解フィルタ２を取り出した際、各電極プレート２１，２２の間に表面張力により水溜まりが付着した状態であり、各電極プレート２１，２２やフィルタ繊維２３に捕集されている汚れ（微粒子）が水溜まりに覆われている。このため、捕集した微粒子が再び周囲に舞い散ってしまうような問題はない。
【００３３】
さらに、この実施形態では、一方の電極プレート２１がアルミニウム製であるので、水酸化アルミニウムによる高粘性化の作用により微粒子がよりフィルタ繊維２３等に付着し易くなったり、付着強度が強くなったりする。このため、微粒子の再放出の問題がさらに小さくなっている。
また、この実施形態では、他方の電極プレート２２が銅製であるので、銅イオンによる殺菌作用が得られ、蒸気加熱による殺菌作用と合わせて殺菌効果がより高くなる。
【００３４】
さらに、霧発生器４や蒸気加熱器５に供給される水が軟水となるので、水道水中のカルキ（カルシウム）やマグネシウムが析出して水の供給路を狭めてしまったり、目詰まりさせてしまったりすることが無くなる。
このような多くの効果を有する機器ではあるものの、図１及び図２に示すように、一つの筐体ボックス１内に各部がコンパクトに収められており、大きな占有面積を有するものではない。このため、事務所や家庭、工場等で容易に設置して好適に使用することができる。
【００３５】
次に、第二の実施形態の空気清浄機について説明する。図４は、第二の実施形態の主要部の正面断面概略図である。
第二の実施形態では、アクア電解フィルタ２の構成が第一の実施形態と異なっている。他の箇所は、第一の実施形態と基本的に同様である。第二の実施形態では、アクア電解フィルタ２は、各電極プレート２０１，２０２が同じ材料の金属で形成されている。そして、図４に示すように、対を構成する二つの電極プレート２０１、２０２に対して電位差を与えるための直流電源２７が設けられている。
【００３６】
直流電源２７に対する配線構造は適宜採用し得るが、例えば中央の保持体２４に沿ってプラス側、マイナス側の配線をそれぞれ固定し、対を成す各二つのうちの一方の電極プレートをプラス側の配線に接続し、他方の電極プレートをマイナス側の配線に接続すれば良い。各対において印加される電位差は、異なるイオン化傾向の材料を使用する場合の代替的なものであるので、０．５〜１．０Ｖ程度の小さいもので良く、したがって直流電源２７としては乾電池が使用されることもあり得る。また、電源ユニットから供給される交流を直流に変換して電位差を印加しても良い。
【００３７】
各電極プレート２１，２２の材料としては、例えばすべてアルミニウム製であっても良く、またすべて銅製であっても良い。アルミニウム製の場合、前述したように水酸化アルミニウムによる高粘性化作用が併用できるし、銅製の場合、銅イオンによる殺菌作用が期待できる。その他の効果は、前述した第一の実施形態と同様である。
【実施例】
【００３８】
第一の実施形態に属する実施例について、以下の通り説明する。
アクア電荷フィルタとして、ケースの外径１５０ｍｍ、高さ３２０ｍｍのサイズのものを用意する。各フィルタ繊維の全体の大きさは、外径１２０ｍｍ、中心の開口の径は６０ｍｍ、厚さは１０ｍｍである。１本の繊維の太さは０．１８ｍｍである。各電極プレートは、アルミニウム製については厚さ０．５ｍｍ、銅製については厚さ０．１ｍｍで、大きさはいずれも外径１２０ｍｍ、中央の開口の径は６０ｍｍである。フィルタ繊維は１０個（１０段）設けられ、一対の電極プレートでサンドイッチされる。一番上の電極プレートをアルミ製とした場合、一番下の電極プレートもアルミ製となるので、合計の数ではアルミ製の電極プレートは銅製の電極プレートより一枚多い６枚となる。
【００３９】
ファンの送風能力は、６ｍ３／分程度で良く、排出管内のヒータは消費電力１０００Ｗ程度のものとされる。この程度の能力で試算すると、約１５坪程度の広さまでの部屋において使用することができる。
発明者は、上記のような仕様に空気清浄機を試作し、性能試験のため、コピー機のトナーを微粒子に見立てて対象空気に混合し、取り入れ口から流入させた。そうしたところ、排出口からはトナーの排出は視認されず、良好な浄化性能が発揮されることがわかった。
尚、上記仕様のアクア電解フィルタの場合、５００グラム程度の汚れを吸着、捕集すると、メンテナンス（洗浄又は交換）が必要になるが、発明者の試算によると、この程度まで蓄積するのには２．５〜３年程度かかる。即ち、２．５〜３年程度の間はメンテナンスフリーということになる。
【符号の説明】
【００４０】
１  筐体ボックス
２  アクア電解フィルタ
２１  アルミニウム製の電極プレート
２２  銅製の電極プレート
２３  フィルタ繊維
２４  保持体
２５  ケース
２７  直流電源
３  ファン
４  霧発生器
５  蒸気加熱器
５１  ヒータ
６  軟水器
６１  貯水タンク
７  イオン発生器
【要約】
【課題】  微粒子を対象空気から除去して浄化することが可能であり、メンテナンスの頻度が極めて少ない空気清浄機を提供する。
【解決手段】  ファン３により取り入れ口１１から筐体ボックス１内に流入した対象空気は、霧発生器４で発生した霧と混合され、アクア電解フィルタ２に流入する。アクア電解フィルタ２は、各対においてイオン化傾向が異なる材料で形成された二つの電極プレート２１，２２の間にフィルタ繊維２３が挟み込まれた構造であり、流入した対象空気はフィルタ繊維２３において水溜まりを形成し、電解作用により微粒子が分解、捕集又は殺菌される。アクア電解フィルタ２から流出した対象空気は、排気管３１において蒸気加熱器５からの高温蒸気により加熱、加湿、殺菌され、排出口１２から排出される。
【選択図】  図１【図１】
0005636576.tif 000002
【図２】
0005636576.tif 000003
【図３】
0005636576.tif 000004
【図４】
0005636576.tif 000005